(57)【要約】【課題】画像を合成加工して絵画調にしてその一部分にのみリンクをはりこれをＷＥＢ上で利用する方法の提供。【解決手段】昭和時代の物品のミニチュアを様々な角度から撮影して用意し（１１）、建物の画像を撮影し（１２）、物品画像の中から最適な角度の画像を建造物の画像に重ね（１３）、この画像の輪郭部を強調し、色数を減少させセピア調にし、画質をパステル画調に粗くし（１４）、画像の特定部位にリンクをはった透明画像を重ね（１５）、これをクリックするとスキャナーで取り込んだ紙媒体の広告画像が表示される。【選択図】        図１
2007241362.tif 000002
【特許請求の範囲】
【請求項１】
予め様々な角度で前景画像を撮影しその中から適当なものを背景画像に合成することで画像を構成し、また画像の色数を減少させ画質を粗くし輪郭部を強調し、またリンクをはった透明画像を画像の特定部位に重ねる画像利用方法。
【請求項２】
背景画像とは現代の建造物の画像でありまた前景画像とは昭和またそれ以前の時代また未来また異国また異世界の物品また物品のミニチュアの画像である請求項１記載の画像利用方法。
【請求項３】
色数を減少させるとはセピア調にすることであって、また画質を粗くするとはパステル画調にすることである請求項１記載の画像利用方法。
【請求項４】
画像の周囲をぼかす請求項１記載の画像利用方法。
【請求項５】
透明画像を重ねる部位は画像内の広告また権利情報が表示される部位である請求項１記載の画像利用方法。
【請求項６】
紙媒体をスキャナーで画像として取り込みＷＥＢページに使用し、また紙媒体の一部また全部に破れ目またしわまた色をつけこれをスキャナーで画像として取り込みＷＥＢページに使用し、また透明画像のリンクの先は前記ＷＥＢページである請求項１記載の画像利用方法。
【請求項７】
画像をＷＥＢサイトに設置し、また画像をＷＥＢサイトに複数設置することにより懐かしい雰囲気のショッピングモールを構成する請求項１記載の画像利用方法。
【請求項８】
画像を風水に沿うように設置する請求項７記載の画像利用方法。
【請求項９】
ＷＥＢサイトを開く都度異なる前景画像を合成した画像また季節また時間また天候また出来事に応じた画像を設置し、また前記設置画像の表示は徐徐に行い、またその際に音声を再生する請求項７記載の画像利用方法。
【発明の詳細な説明】
【技術分野】
【０００１】
本発明は、画像を効率的に合成してその一部分にのみリンクをはりさらにエンターテインメント性を高める画像利用方法の提供に関するものである。
【背景技術】
【０００２】
従来、画像に別の画像を合成し、またディスプレイに表示された画像をクリックするとリンク先ページを表示する方法があった。
【非特許文献１】インフォメディア著  「速習ＷｅｂデザインＰｈｏｔｏｓｈｏｐ６．０」技術評論社２００１年
【発明の開示】
【発明が解決しようとする課題】
【０００３】
しかし、合成部分の見た目が不自然になることがあり、また１枚の画像に設定できるリンク先は１つのみであった。
本発明は、以上のような従来の問題を克服し、合成部分が不自然に見えるのを防止するだけでなく被写体の見栄えをよくし、また１枚の画像の各部をクリックすることでそれぞれ異なるリンク先を表示し、さらに画像の懐かしさ等を強調することでエンターテインメント性を高める画像利用方法を提供する。
【課題を解決するための手段】
【０００４】
請求項１記載の発明は、予め様々な角度で前景画像を撮影しその中から適当なものを背景画像に合成することで画像を構成し、また画像の色数を減少させ画質を粗くし輪郭部を強調し、またリンクをはった透明画像を画像の特定部位に重ねる画像利用方法である。
【０００５】
請求項２記載の発明は、背景画像とは現代の建造物の画像でありまた前景画像とは昭和またそれ以前の時代また未来また異国また異世界の物品また物品のミニチュアの画像である請求項１記載の画像利用方法である。
【０００６】
請求項３記載の発明は、色数を減少させるとはセピア調にすることであって、また画質を粗くするとはパステル画調にすることである請求項１記載の画像利用方法である。
【０００７】
請求項４記載の発明は、画像の周囲をぼかす請求項１記載の画像利用方法である。
【０００８】
請求項５記載の発明は、透明画像を重ねる部位は画像内の広告また権利情報が表示される部位である請求項１記載の画像利用方法である。
【０００９】
請求項６記載の発明は、紙媒体をスキャナーで画像として取り込みＷＥＢページに使用し、また紙媒体の一部また全部に破れ目またしわまた色をつけこれをスキャナーで画像として取り込みＷＥＢページに使用し、また透明画像のリンクの先は前記ＷＥＢページである請求項１記載の画像利用方法である。
【００１０】
請求項７記載の発明は、画像をＷＥＢサイトに設置し、また画像をＷＥＢサイトに複数設置することにより懐かしい雰囲気のショッピングモールを構成する請求項１記載の画像利用方法である。
【００１１】
請求項８記載の発明は、画像を風水に沿うように設置する請求項７記載の画像利用方法である。
【００１２】
請求項９記載の発明は、ＷＥＢサイトを開く都度異なる前景画像を合成した画像また季節また時間また天候また出来事に応じた画像を設置し、また前記設置画像の表示は徐徐に行い、またその際に音声を再生する請求項７記載の画像利用方法である。
【発明の効果】
【００１３】
本発明は、予め前景画像を様々な角度で撮影しておき、その中から背景画像に適した角度のものを選択してこれを合成することで、いちいち背景画像に角度をあわせた前景画像を撮影する必要がなく、合成作業の効率化をはかる。
【００１４】
そして、現代の建物の背景画像に昭和などの物品の前景画像を合成することによりエンターテインメント性を付加した画像を構成する。またこの際、昭和などの物品の入手が困難な場合にも、そのミニチュアを撮影した画像を前景画像として合成することにより作業の効率化をはかる。
【００１５】
また、画像の色数を減少させセピア調にし、画質を粗くしてパステル画調にし、輪郭部を強調し絵画調にすることにより、手書きの温かみ感を出す一方、合成部分が不自然に見えるのを防止し、さらに被写体の見栄えをよくする。
【００１６】
さらに、これらの画像の周囲をぼかすことによりやわらかく懐かしい雰囲気を出す。
【００１７】
また、画像の各部にリンクをはった透明画像を重ねることにより、画像の各部をクリックすることでそれぞれ異なるリンク先を表示できる。そして、画像内のたとえば電信柱にはってある広告部分に透明画像を重ね、これをクリックすることで関連ページを表示することができるようにすることで、ＷＥＢページ内にさりげなく広告リンクを設置することができる。
【００１８】
また、印刷または手書きの紙媒体広告をスキャナーで取り込みそのままＷＥＢページとして使用することにより、現在お店で使用中の広告等をそのままＷＥＢページとして利用することができ、ＷＥＢページをあらためて制作せずにすむ。また、スキャナーで取り込むに先立ち、紙媒体広告の一部また全部に破れ目またしわまた色をつければ、手作り感を出すこともできる。
【００１９】
さらに、これらの画像をＷＥＢサイトに設置することによりエンターテインメント性を備えたショッピングモールを構成することができる。
【００２０】
この際、たとえば画像を風水に沿って配置することによりエンターテインメント性を高めることができる。
【００２１】
また、ＷＥＢサイトを開く都度異なる前景画像を合成した画像を表示することにより、利用者に新鮮さを感じさせ、リピーターを増加させることができる。またこれらの画像を表示する際、画像をフェードインさせることにより、やわらかさや懐かしさを演出できる。またこの際同時に音声を再生することにより、静的な画像に動的な印象を付加することができ、エンターテインメント性を高めることができる。
【発明を実施するための最良の形態】
【００２２】
以下、本発明の一実施例を図１、図２、図３、図４、図５に従って説明する。
【実施例】
【００２３】
第一に、物品を様々な角度から撮影する（１１、図２）。
【００２４】
００２３の物品とはたとえば過去や未来や異国や異世界等の物品であってよく、たとえば昭和時代の自動車やオートバイや自転車や路面電車や電柱や街灯や提灯や旗や看板や丸ポストや電話ボックスなど懐かしさを感じさせる物品またそのミニチュアであってもよい。
【００２５】
まず、カメラとバックスクリーンと回転盤とを用意する。
【００２６】
撮影した画像は絵画調に編集するので、００２５のカメラの解像度は通常より低くてもよく、特にデジタルカメラの場合、画質を落として撮影できるため、カメラの撮影可能枚数を増加させることができる。
【００２７】
００２５のバックスクリーンは布であってよく、たとえば青色と緑色等の二種類を用意してもよい。そして００３１の背景の切り取り作業の効率化をはかるため、たとえば撮影する００２３の物品自体に緑系の色が使用されている場合は青色スクリーンを、青系の色が使用されている場合は緑色スクリーンを使用してもよい。
【００２８】
００２５の回転盤には、数度ごとに目盛りをふり、何度回転させたかわかるようにしてもよい。
また００２５の回転盤は、００２３の物品の下に隠れるぐらい小さくてよく、また大きい場合には００２５の回転盤に００２５のバックスクリーンと同じ色の布をかぶせてよい。
また００２５の回転盤は、一方方向のみにしか回転できないようにしてもよい。
【００２９】
００２５のカメラを設置し、その前に００２５のバックスクリーンを背景に００２５の回転盤を設置し、００２３の物品を００２５の回転盤にのせる。
【００３０】
００２５の回転盤を数度動かしては００２３の物品を００２５のカメラで撮影し（図２）、これを００２５の回転盤が一回転するまで繰り返す。さらに００２５のカメラの高さを変えて同様の作業を繰り返す。
【００３１】
さらに００３０で撮影した画像は、明度等を少しずつ変えて複数の画像として保存してもよい。００３０で撮影した画像についてその背景に００２５のバックスクリーン等が写っている場合は、保存前にこれを切り取りまた透明化しておくとよい。
【００３２】
第二に、建造物の画像を撮影する（１２、図３）。
【００３３】
００３２の建造物とはたとえば店舗や工場や診療所や学校や事務所やホールなど事業目的の建物であってもよい。
【００３４】
００３２の撮影は、建造物の周囲に不要物が散らかったままの状態で行うことも可能である。
不要物が小さい場合、あとで撮影画像を絵画調に編集する（００３７）際に不要物は見えにくくなる。また不要物が大きい場合も、あとで撮影画像を絵画調に編集する（００３７）ので合成部分がわかり難くなり、不要物の上に違和感なく物品画像（図２）を合成（００３５）できる。
また、合成（００３５）に際して目安にするために、建造物の周囲に一定の長さの棒などを置いて撮影してもよい。
【００３５】
第三に、物品画像（図２）を建造物画像（図３）に重ねて合成する（１３、図４）。
【００３６】
具体的には、建物画像（図３）に適した角度や明度等の物品画像（２２）を選択し、大きさを調整し、これを建物画像（図３）のうえに重ねて合成する（図４）。
たとえば建物が傷んでいる場合、建物の画像（図３）のうえに懐かしさを感じさせる物品等の画像（２２）を合成することで、建物の画像（図３）を見る者に建物の痛みを感じさせないようにすることができる。
【００３７】
第四に、００３５の合成画像（図４）の輪郭部を強調し色数を減少させ画質を粗くする（１４、図５）。
【００３８】
００３７のように合成画像の輪郭部を強調することにより、手書き感をだすことができ、また建物の傷みを隠すことができる。
【００３９】
画像の色数を減少させる（００３７）ことにより、合成部分が不自然に見えることを防止し、さらに建物の外観の色あせ等を隠すことができる。画像の色数を減少させるとは、たとえば色数を減らしセピア調にすることである。
【００４０】
画像の画質を粗くし、たとえば画像をパステル画調にする（００３７）ことにより、手書きの温かみを出すことができる。これにより、００３５の合成部分が不自然に見えることを防止し、さらに被写体が痛みの激しい建物などの場合にも見栄えをよくする。
【００４１】
また、さらに００３７の画像の周囲をぼかすことで懐かしい雰囲気を強調してもよい。
【００４２】
００３７また００４１の画像は、ＷＥＢページ上で利用してもよい。
【００４３】
そしてＷＥＢページを開く際に、００３７また００４１の画像をフェードインやディゾルブインさせることで、やわらかさを演出してもよい。またこの際同時に、豆腐売りのラッパやちんどん屋の演奏や風鈴の音や各種呼び声やクラクションなどの懐かしい音声や、雑踏音や金属音や小鳥のさえずりなどその画像に関連のある音声などを再生してもよい。
またＷＥＢページを開く都度、異なる物品を合成した００３７また００４１の画像を、ランダムに表示してもよい。また、ＷＥＢページを開く際に、季節に応じて祭りや行事の物品を合成した画像を表示してもよいし、夜には夜景などを表示してもよい。これによりＷＥＢページを見る者に常に新鮮さを感じさせることができる。
また、数回に一回は、たとえば動物や怪獣や特殊車両や飛行機や宇宙船といった普段とカテゴリーが異なるインパクトの強い物品を合成したおまけ的な画像を表示してもよい。
【００４４】
第五に、画像（図５）の特定部位に、他のページや画像へのリンクをはった透明画像（５１）を重ねる（１５）。
たとえば前記透明画像（５１）を画像（図５）の建物のドア部に重ね、これをクリックすると建物内の画像また説明等が表示されるようにしてもよい。
【００４５】
画像（図５）内のたとえば電信柱や看板や掲示板に広告が表示される場合、その部位に透明画像（５１）を重ね、これをクリックすることで前記広告に関連するページを表示できるようにしてもよい。これにより画像（図５）内に広告リンクをさりげなく設置することができ見栄えがよい。
また画像（図５）内のたとえば電信柱や看板や掲示板に、００３５と同様の方法で広告画像を合成し、この部位に透明画像（５１）を重ね、これをクリックすることで前記広告に関連するページを表示できるようにしてもよい。
また画像（図５）内に著作権等の権利に関する情報が表示される場合、その部位に透明画像（５１）を重ね、これをクリックすることで前記著作権等について説明の記載されたページを表示できるようにしてもよい。
【００４６】
そして、新聞への折り込みや掲示や頒布などの目的で現在すでに使用している紙媒体の広告またメモをスキャナーで取り込んだ画像を用意し、透明画像（５１）をクリックすると、前記広告画像が表示されるようにしてもよい。
小規模の店舗等の場合、説明に多数のページを必要としないことも少なくない。そのような場合は、現在すでに使用している紙媒体広告をスキャナーで画像として取り込みそのまま使用することにより、ＷＥＢページをあらたに制作する手間が省けて便利である。また更新作業についても、新たに制作した紙媒体広告をスキャナーで取り込むだけですみ容易である。
前記の紙媒体の広告またメモとは、手書きまた印刷されたものであってよく、その一部にわざと破れ目やしみをつけ、またその全体にしわをつけまた変色させたものであってもよい。また、破れ目やしみやしわや変色を描いた紙上に手書きまた印刷により文字などを記載したものであってもよい。
また、スキャナーで取り込んだ画像について、色数を減らして色があせたように加工し、また破れ目やしみやしわが入ったように加工してもよい。
これらの細工により、懐かしい雰囲気を出すことができる。
【００４７】
また、００４４や００４６のような画像を１つのサイトに複数設置し、たとえば懐かしい雰囲気のショッピングモールを形成し、また利用者がこれらを操作することで懐かしい町並みの中を散策する疑似体験ができるようにしてもよい。
【００４８】
００４７のように画像を１つのサイトに複数設置するに際して、画像やページを風水等に従って配置してもよい。
【図面の簡単な説明】
【００４９】
【図１】本発明の１実施例の処理手順を示す図である。
【図２】本発明の１実施例の物品を様々な角度から撮影した画像である。
【図３】本発明の１実施例の建造物の画像である
【図４】本発明の１実施例の建造物に物品を合成した画像である。
【図５】本発明の１実施例の建造物に物品を合成した画像について輪郭部を強調し色数を減少させ画質を粗くした画像である。
【符号の説明】
【００５０】
１１  一番目の作業
１２  二番目の作業
１３  三番目の作業
１４  四番目の作業
１５  五番目の作業
２１  前面より撮影した物品画像
２２  やや右より撮影した物品画像
２３  さらに右より撮影した物品画像
５１  リンクをはった透明画像
【図１】
2007241362.tif 000003
【図２】
2007241362.tif 000004
【図３】
2007241362.tif 000005
【図４】
2007241362.tif 000006
【図５】
2007241362.tif 000007